(57)【特許請求の範囲】
【請求項１】
少なくとも青色、緑色及び赤色の各カラーフィルタ層が形成されているカラーフィルタ基板と、該カラーフィルタ基板に液晶を介して対向配置される対向基板とを備えた液晶装置であって、
前記カラーフィルタ基板に、前記カラーフィルタを保護する保護層と第１の透明電極とがこの順番で積層されており、
前記対向基板の前記液晶側に第２の透明電極が形成されており、
前記保護層と前記第１の透明電極と前記第２の透明電極とを少なくとも透過する光の色度ｘoth、ｙothが、Ｃ光源の色度と実質的に同一の色度ｘset、ｙset  からずれて、前記透過する光が黄色味を帯びているとき、
前記液晶装置を白表示した際の色度が前記ｘset、ｙsetに近づくように、前記各カラーフィルタ層をそれぞれ透過する光を合成した光の色度ｘCF、ｙCFを、次式：
ｘCF＝２ｘset−ｘoth，ｙCF＝２ｙset−ｙoth
（但し、色度ｘ、ｙ：ＣＩＥ  １９３１表色系で示され、Ｃ光源を用いた場合の色度）に従って、前記ｘset、ｙsetよりも青色側へ移行し調整して成ることを特徴とする液晶装置。
【請求項２】
前記液晶装置は半透過反射示型の液晶装置であり、前記構成要素には反射層が含まれており、
前記色度ｘoth、ｙothは、前記構成要素のうち前記反射層を除いた構成要素を２回透過する光の色度で規定され、
前記色度ｘCF、ｙCFは、前記各カラーフィルタ層をそれぞれ２回透過する光の合成光の色度で規定されていることを特徴とする請求項１に記載の液晶装置。
【請求項３】
前記各カラーフィルタ層の膜厚を同じ割合を増加させることにより、前記ｘCF、ｙCFが調整されていることを特徴とする請求項１または２に記載の液晶装置。
【請求項４】
請求項１ないし３のいずれかに記載の液晶装置を備えたことを特徴とする電子機器。
【発明の詳細な説明】
【０００１】
【発明の属する技術分野】
本発明は、液晶装置、及びこれを備えた電子機器に関し、詳しくは、カラーフィルタ層を有する液晶装置、及びこれを備えた電子機器に関するものである。
【０００２】
【従来の技術】
液晶装置５００は、例えば図１４に示すように、互いに対向する一対の基板１２０、１４０間に液晶１６０を配し、液晶１６０の配向状態に応じて液晶を通過する光を変調させて画像表示等を行うものである。そして、基板１２０の対向面にはインジウム錫酸化物（以下、「ＩＴＯ」という）等からなる透明電極２４０ａがマトリクス状に配設され、他の基板１４０の上に、青色、緑色及び赤色のカラーフィルタ層２００ａ、２００ｂ、２００ｃが上記透明電極２４０ａに対応した位置にマトリクス状に形成され、各カラーフィルタ層の上には保護層２２０が形成されている。又、保護層２２０の上には横方向に延びる短冊状の透明電極２４０ｂが形成されている。そして、基板１２０からの入射光は、各カラーフィルタ層２００ａ、２００ｂ、２００ｃでそれぞれ青、緑、赤のいずれかに色付けられ（光Ｐ1、Ｐ2、Ｐ3）、基板１４０側から出射され、これらのＰ1、Ｐ2、Ｐ3の合成光Ｐが画像として認識される。
【０００３】
【発明が解決しようとする課題】
しかしながら、上記した液晶装置５００の場合、画像（合成光Ｐ）の色バランスが低下するという問題がある。ここで、色バランス(ホワイトバランス）とは、液晶装置を白表示した時、つまり、各カラーフィルタ層２００ａ、２００ｂ、２００ｃを透過する光Ｐ1、Ｐ2、Ｐ3を同じ強度で合成した光Ｐの色調をいい、白色に近いほど実際の画像の表示色特性が向上する。そして色バランスは、通常、ＣＩＥ  １９３１表色系の色度ｘ、ｙで表され、この値がＣ光源の色度値に近いほど色バランスが良好であるとされる。
【０００４】
ところで、液晶装置５００において、その構成要素である透明電極２４０ａ、２４０ｂや保護層２２０が黄色等の色味を帯びることがある。つまり、入射光が基板１２０から透明電極２４０ａ、液晶１６０、透明電極２４０ｂ、保護層２２０、カラーフィルタ層２００ａ（２００ｂ、２００ｃ）を経て基板１４０から出射して画像表示されるまでの間に、透明電極や保護層によって特定波長の光が吸収され、その結果として画像の色バランスが低下するようになる。この場合、画像の表示色調は、上記透明電極等の色味の影響を受けて黄色になる。
【０００５】
特に、反射表示型の液晶装置の場合、入射光は透明電極２４０ａ、２４０ｂと保護層２２０を透過した後、反射層で反射されて再度この透明電極と保護層を透過するので、上記透明電極と保護層による光の吸収度合が強くなり、それに伴って画像の色バランスの低下も顕著になる。
【０００６】
本発明は、液晶装置における上記した問題を解決し、画像の色バランスを向上させた液晶装置、及びこれを用いた電子機器の提供を目的とする。
【０００７】
【課題を解決するための手段】
上記した目的を達成するために、本発明のカラーフィルタ基板は、少なくとも青色、緑色及び赤色の各カラーフィルタ層が形成されているカラーフィルタ基板と、該カラーフィルタ基板に液晶を介して対向配置される対向基板とを備えた液晶装置であって、
前記カラーフィルタ基板に、前記カラーフィルタを保護する保護層と第１の透明電極とがこの順番で積層されており、前記対向基板の前記液晶側に第２の透明電極が形成されており、  前記保護層と前記第１の透明電極と前記第２の透明電極とを少なくとも透過する光の色度ｘoth、ｙothが、Ｃ光源の色度と実質的に同一の色度ｘset、ｙset  からずれて、前記透過する光が黄色味を帯びているとき、前記液晶装置を白表示した際の色度が前記ｘset、ｙsetに近づくように、前記各カラーフィルタ層をそれぞれ透過する光を合成した光の色度ｘCF、ｙCFを、次式：ｘCF＝２ｘset−ｘoth，ｙCF＝２ｙset−ｙoth
（但し、色度ｘ、ｙ：ＣＩＥ  １９３１表色系で示され、Ｃ光源を用いた場合の色度）に従って、前記ｘset、ｙsetよりも青色側へ移行し調整して成ることを特徴とする。
【０００８】
このような構成によれば、液晶装置における各カラーフィルタ層を除いた構成
要素を透過する光の色度がＣ光源の色度と実質的に同一の色度に比べてずれて所定の色味を帯びたとしても、そのずれを打ち消すように予め各カラーフィルタ層の色度を調整しているので、画像を設計色度と同一としてその色バランスを向上させることができる。
【００１１】
そして、前記液晶装置は半透過反射示型の液晶装置であり、前記構成要素には反射層が含まれており、  前記色度ｘoth、ｙothは、前記構成要素のうち前記反射層を除いた構成要素を２回透過する光の色度で規定され、前記色度ｘCF、ｙCFは、前記各カラーフィルタ層をそれぞれ２回透過する光の合成光の色度で規定されていることを特徴とする。
【００１２】
さらに、前記各カラーフィルタ層の膜厚を同じ割合を増加させることにより、前記ｘCF、ｙCFが調整されていることが好ましい。
【００１３】
本発明の電子機器は、前記液晶装置を備えたことを特徴とする。
【００１４】
【発明の実施の形態】
以下、本発明に係る液晶装置について、図１乃至図３に基づいて説明する。なお、本発明における液晶装置とは、少なくとも後述するカラーフィルタ層を備えたカラーフィルタ基板と、液晶を介してこれに対向配置される対向基板とを備えたものをいう。電極や画素電極制御用の素子については特に制限はなく、パッシブマトリクス型液晶装置、また、スイッチング素子としてＴＦＴ（thin  film  transistor）素子や、ＴＦＤ（Thin  Film  Diode）素子を備えたアクティブマトリクス型液晶装置に適用できる。
【００１５】
図１に示すように、カラーフィルタ基板８は、対向基板３８に所定の間隔で対向配置され、各基板８、３８の間には液晶が介装されて全体として液晶装置５０を構成している。なお、この実施形態では、液晶装置５０はアクティブマトリクス型のＴＦＤ（Thin Film Diode）液晶装置となっている。素子基板である対向基板３８側には、石英等から成る基板３０のカラーフィルタ基板８と対向する表面（下面）にマトリクス状に例えばＩＴＯ（Indium Tin Oxide）等の透明電極から成る複数の画素電極３２、及び該画素電極３２に印加される電圧を制御するＴＦＤ素子３６が設けられている。ＴＦＤ３６は、各列毎走査線３４に接続され、走査信号と後述するデータ線２２とに印加された信号に基づいて、液晶を表示状態、非表示状態またはその中間状態に切り替えて表示動作の制御を行っている。なお、液晶装置５０の全体の構造や画像表示の詳しい動作については、従来のものと同様であるのでその説明を省略する。
【００１６】
カラーフィルタ基板８は、次のようにして構成されている。まず、石英等から成る基板２上に金属膜から成る反射層４がほぼ全面にわたって形成され、反射層４の上には対向基板３８の画素電極３２に対向した位置にマトリクス状に青色のカラーフィルタ層（図示「Ｂ」）１０、緑色のカラーフィルタ層（図示「Ｇ」）１２、赤色のカラーフィルタ層（図示「Ｒ」）１４、がそれぞれ形成され、これらは光の３原色をなしている。ここで、各カラーフィルタ層１０、１２、１４は離間して配置され、それらの間には、非画像表示領域（画素電極３２が形成されていない領域）に対応して、後述する遮光層６が形成されている。さらに、各カラーフィルタ層１０、１２、１４の上に図示しない保護層が形成され、該保護層の上には走査線３４の延設方向と交差するようにして、短冊状のＩＴＯから成る複数のデータ線２２が形成されている。
【００１７】
ここで、反射層４となる金属膜としては、例えばアルミニウム、銀、これらの合金等の高反射率の材料を用いることができ、各カラーフィルタ層１０、１２、１４は、例えば染色法や顔料分散法によって製造することができる。そして、各カラーフィルタ層は光の３原色（Ｒ、Ｇ、Ｂ）を構成しているので、いずれかの方向において、Ｒ、Ｇ、Ｂが交互に配設されていることが好ましい。例えばこの実施形態では、カラーフィルタ基板８の左から右へ向かってＲ、Ｇ、Ｂが交互に配設されているが、これと直角な方向にＲ、Ｇ、Ｂが交互に配設されていてもよい。
【００１８】
なお、各カラーフィルタ層１０、１２、１４の中心付近における反射層４には矩形状の窓４ｄが形成され、カラーフィルタ基板８の外面側に配設されたバックライト７０からの照射光が対向基板３８側へ透過するようになっている。つまり、この液晶装置５０は、各カラーフィルタ層１０、１２、１４の周縁部では下地反射層４による反射表示を行い、その中心部では窓４ｄによる透過表示を行うようになっている（半透過反射型）。このようにすることによって、消費電力の点で有利な反射表示型と、周囲光の有無に影響されずに表示が可能な透過表示型の利点を兼ね備え、周囲光に応じて表示方式を切り替えることにより、消費電力を低減しつつ明瞭な表示が可能となる。さらに、窓４ｄの開口比を調整することにより、反射時の使用を重視した表示、あるいは透過時の使用を重視した表示を適宜設計することができる。
【００１９】
上記した液晶装置５０の図１のＡ−Ａ’線の断面構造は、図２に示すようになっている。
【００２０】
この図において、遮光層６は、青色のカラーフィルタ層１０を最下層とし、その上に他のカラーフィルタ層１２、１４を順に重ねることにより形成されている。そして、対向基板３８側から液晶４０を経て遮光層６に入射された光は、各カラーフィルタ層１０、１２、１４で吸収されるので、遮光層６はブラックマトリクス（図示領域Ｄ3）として機能する。一方、画素電極３２を含む領域は表示領域（図示領域Ｄ1）になっていて、そのうち、窓４ｄを含む領域が透過表示領域（図示領域Ｄ2）をなし、残部が反射表示領域をなしている。なお、各カラーフィルタ層１０、１２、１４、及び遮光層６の上には、例えばアクリル系樹脂等から成る保護層２０が形成され、この保護層２０の上にデータ線２２が形成されている。
【００２１】
そして、図３に示すようにして（反射時の）画像表示が行われる。まず、対向基板３８の外側から基板３０に入射した光は、基板３０、画素電極３２、図示しない配向膜、液晶４０、配向膜、データ線（対向電極）２２、保護層２０、及びカラーフィルタ層１０（又は１２、１４）をこの順で透過して反射層４で反射した後、入射方向と逆方向、つまりカラーフィルタ層１０（１２、１４）から基板３０側に出射して画像表示される。このようにして、入射光が基板３０から反射層４を経て基板３０に戻る光路Ｅを通る過程で、カラーフィルタ層１０、１２、１４のいずれかにより色付けられ、これらの色付光Ｌ1、Ｌ2、Ｌ3が合成されて画像Ｌとなる。この場合、各光Ｌ1、Ｌ2、Ｌ3の強度を同一とすれば、画像Ｌは白表示になる。
【００２２】
ところで、通常、液晶装置の設計に当たっては、液晶装置５０の画素領域の、カラーフィルタ層を除いた構成要素６０（例えば、位相差膜や偏光膜などの光学素子、基板３０、画素電極３２、基板３０側の配向膜、液晶４０、基板２側の配向膜、データ線（対向電極）２２、保護層２０、反射層４等）に特定波長の光の吸収がないことを前提としている。そして、画像の色バランスをＣ光源と同一にするため、各カラーフィルタ層１０、１２、１４を透過する光の合成光の色調をＣ光源に合わせる調整がなされている。しかし、実際には、構成要素６０が所定の色味を帯びていることが多い。これについて、図４〜図６を参照して説明する。なお、図４〜図６は、構成要素６０の一部である保護層２０及び透明電極３２、２２にそれぞれＣ光源を照射した際の透過光及び反射光の分光特性を示し、図７はそのうち反射光のｘｙ色度図上での位置を示している。又、本発明における色度ｘ、ｙは、ＣＩＥ  １９３１表色系で示され、Ｃ光源を用いた場合の色度をいう。
【００２３】
図４において、保護層２０を透過する光の分光特性をみると、４００ｎｍ周辺の青色光が吸収されており、そのため、透過光は黄色味を帯びている。一方、反射光の場合、保護層２０を透過する光は反射層で反射されて再度この層を透過することになるので（２回透過光に相当）、通常の透過光に比べて青色の吸収の度合が強い。同様に、図５において、各透明電極３２、２２を透過する光の分光特性をみると、全波長にわたって吸収がみられるが、特に青色の吸収が顕著である。つまり、透明電極３２、２２の方が保護層２０より黄色味を帯びることになる。さらに、図６に示すように、保護層２０と透明電極３２、２２をともに透過する光においては、青色の吸収度合がさらに顕著になる。
【００２４】
これらの関係を図７に示すと、保護層２０や透明電極３２、２２を透過する光の色度は、Ｃ光源の色度に比べて右上方向（黄色側）にずれ、そのずれ量は保護層２０と透明電極３２、２２をともに光が透過する場合に最も大きくなっている。そこで、本発明においては、図８に示すように、かかる保護層２０と透明電極３２、２２（以下、これらをまとめて「構成要素６０」と称する）の色付きを打ち消すため、予め各カラーフィルタ層１０、１２、１４の色度の調整を行なう。
【００２５】
この図において、構成要素６０のいずれかを透過する光の色度Ｐ（ｘoth、ｙoth）は、上述のように黄色の領域内に位置している。そして、何らカラーフィルタ層１０、１２、１４の色度調整を行なわない場合には、実際に画像を白表示した時の色度Ｒ’も黄色の領域内に位置することになる。これに対し、カラーフィルタ層１０、１２、１４を透過する光の合成光の色度Ｑ（ｘCF、ｙCF）が点Ｐの補色側（青色）に位置するよう、予め各カラーフィルタ層の色度を調整すれば、上記構成要素６０の色付きの影響を打ち消すことができる。
【００２６】
具体的には、ＰとＱの中点に後述するＲが位置するよう、つまり、
ｘCF＝２ｘset−ｘoth，ｙCF＝２ｙset−ｙoth              （１）
を満たすように各カラーフィルタ層の色度を調整する。このようにすれば、上記色度Ｒ’を青色側へ一定量だけ移行させて設計色度Ｒと同一（白色）に近づけることができる。ここで、設計色度ｘset、ｙsetとは、液晶装置５０を白表示させる際の色度の設計値であり、理想的にはＣ光源の色度に合わせたものである。なお、実際には、白表示時の色度Ｒ’を設計色度Ｒと完全に一致させることは難しい。そこで、本発明においては、Ｒ’とＲの差が設計色度Ｒ±０．０１以内である場合も含めて「実質的に同一」とする。
【００２７】
次に、実際に各カラーフィルタ層の色度調整を行なう方法について、図９及び図１０に基づいて説明する。
【００２８】
図９において、Ｑiは各カラーフィルタ層１０、１２、１４を反射（２回透過）する光の色度を示し（但し、ｉ：青色、緑色、赤色のいずれかのカラーフィルタ層に対応し、Ｂ（青色）、Ｇ（緑色）、Ｒ（赤色）で表記する）、これら透過光を合成した光の色度ｘCF、ｙCFが点Ｑで示されている。そして、各カラーフィルタ層１０、１２、１４の膜厚が増加するに伴い、各Ｑiはｘｙ色度図の外側（彩度が向上する方向）に移行するが、各カラーフィルタ層の膜厚を同じ割合で増加させていけば、点Ｑの位置は変化しないことがわかる。なお、合成光の色度ｘCF、ｙCFは、各カラーフィルタ層を反射した光（２回透過光）の三刺激値Ｘi，Ｙi，Ｚiを求め、次式を形成することにより得られる。
【００２９】
ｘCF＝（ＸB＋ＸG＋ＸR）／{（ＸB＋ＹB＋ＺB）＋（ＸG＋ＹG＋ＺG）＋（ＸR＋ＹR＋ＺR）}                                    （２）
ｙCF＝（ＹB＋ＹG＋ＹR）／{（ＸB＋ＹB＋ＺB）＋（ＸG＋ＹG＋ＺG）＋（ＸR＋ＹR＋ＺR）}                                    （３）
このことから、逆に、各カラーフィルタ層の膜厚をそれぞれ異なる割合で増加又は減少させて点Ｑの位置を変化させれば、合成光の色度を調整することができる。つまり、図１０に示すように、通常は、色度ＱがＣ光源の色度の近傍になるよう各カラーフィルタ層１０、１２、１４の色度が調整されているが、青色のカラーフィルタ層１０の膜厚を増加させてその色度Ｑ’Bを色度図の外側へ移動させ（彩度を高くし）、一方で、緑色、及び赤色のカラーフィルタ層１２、１４の膜厚をそれぞれ低減させてその色度Ｑ’G、Ｑ’Rを色度図の内側へ移動させる（彩度を低くする）調整を行なう。すると、合成光の色度Ｑ’は図の左下側、つまり構成要素６０の黄色味の補色である青色側へ移行するので、画像表示した際に構成要素６０の色付きを打ち消すことができ、画像の色バランスが向上する。
【００３０】
なお、上記した実施形態においては、各カラーフィルタ層１０、１２、１４の膜厚を変化させてその色度を調整したが、例えば、カラーフィルタ層に含まれる色素(顔料）の含有割合（濃度）を変化させて色度を調整することもできる。又、すべての色のカラーフィルタ層の色度を調整する必要はなく、いずれか一つの色のカラーフィルタ層の色度のみを調整してもよい。さらに、構成要素が黄色味を帯びている場合にはカラーフィルタ層を青色側に調整すればよいが、これに限られることはなく、例えば構成要素が緑色味を帯びている場合にはカラーフィルタ層を赤色側に調整してもよい。
【００３１】
そして、実際の液晶装置の製造に当たっては、例えばカラーフィルタ層を除いて、一対の基板の各々に配置され、一対の基板の各々の液晶駆動電極が重なる部分の各構成要素について、その時の表示画像の色度ｘoth、ｙothを測定しておき、それに対するカラーフィルタ層の色度調整の度合を式（１）に従って算定し、これに従って、カラーフィルタ層の色度調整をした液晶装置を製造すればよい。なお、色度ｘoth、ｙothを規定する際には、必ずしも液晶装置のすべての構成要素を対象としなくともよく、構成要素のうちほとんど光の吸収がないものについては考慮しなくてもよい。
【００３２】
そして、上記した実施形態においては、反射表示型の場合について述べたが、透過表示を行なう場合には、液晶装置の各構成要素を入射光が１回透過した際の色度でｘoth、ｙoth、ｘCF、ｙCFを規定すればよい。
【００３３】
これらに加え、本発明は上記したアクティブマトリクス型の液晶装置だけでなく、例えばＳＴＮ等のパッシブマトリクス型の液晶装置やセグメント型の液晶装置に適用することもできる。又、対向する各基板に配設する電極は少なくとも一方が透明電極であればよく、他の電極を金属膜から成る反射層で形成しても勿論よい。
【００３４】
［電子機器］
以下、本発明の液晶装置を備えた電子機器の具体例について説明する。
【００３５】
図１１は、携帯電話の一例を示した斜視図である。
【００３６】
この図において、符号１０００は携帯電話本体を示し、符号１００１は上記の電気光学装置を用いた液晶表示部を示している。
【００３７】
図１２は、腕時計型電子機器の一例を示した斜視図である。
【００３８】
この図において、符号１１００は時計本体を示し、符号１１０１は上記の電気光学装置を用いた液晶表示部を示している。
【００３９】
図１３は、ワープロ、パソコンなどの携帯型情報処理装置の一例を示した斜視図である。
【００４０】
この図において、符号１２００は情報処理装置、符号１２０２はキーボードなどの入力部、符号１２０４は情報処理装置本体、符号１２０６は上記の電気光学装置を用いた液晶表示部を示している。
【００４１】
図１１ないし図１３に示す電子機器は、上記の液晶装置を用いた液晶表示部を備えたものであるので、色バランスの優れた電子機器を実現することができる。
【００４２】
【発明の効果】
以上の説明で明らかなように、本発明によれば、液晶装置における各カラーフィルタ層を除いた構成要素を透過する光の色度が設計色度に比べてずれて所定の色味を帯びたとしても、そのずれを打ち消すように予め各カラーフィルタ層の色度を調整しているので、上記構成要素と各カラーフィルタ層をともに透過した際に得られる画像の色バランスを向上させることができる。
【００４３】
特に、反射表示型、又は反射透過兼用表示型の液晶装置の場合、構成要素の色付きが顕著になるので、本発明の効果がより一層大きくなる。
【図面の簡単な説明】
【図１】  本発明の液晶装置を示す斜視図である。
【図２】  図１のＡ−Ａ’線に沿う断面図である。
【図３】  液晶装置を透過する光を示す断面図である。
【図４】  液晶装置の構成要素をなす保護層を透過又は反射する光の分光特性を示すグラフである。
【図５】  液晶装置の構成要素をなす透明電極を透過又は反射する光の分光特性を示すグラフである。
【図６】  液晶装置の構成要素をなす保護層と透明電極を透過又は反射する光の分光特性を示すグラフである。
【図７】  液晶装置の構成要素を透過する光のｘｙ色度図上の位置を示す図である。
【図８】  構成要素の色度に対してカラーフィルタ層の色度を調整する態様を示すｘｙ色度図である。
【図９】  各カラーフィルタ層の色度と膜厚の関係を示すｘｙ色度図である。
【図１０】  各カラーフィルタ層を透過する光の色度を調整する態様を示すｘｙ色度図である。
【図１１】  本発明の液晶装置を備えた電子機器の一例を示す斜視図である。
【図１２】  同、電子機器の他の例を示す斜視図である。
【図１３】  同、電子機器のさらに他の例を示す斜視図である。
【図１４】  従来の液晶装置を示す部分断面図である。
【符号の説明】
２、３０                          基板
４、４Ａ                          反射層
８、８Ａ                          カラーフィルタ基板
１０、１０Ａ                      青色のカラーフィルタ層
１２、１２Ａ                      緑色のカラーフィルタ層
１４、１４Ａ                      赤色のカラーフィルタ層
３８、３８Ａ                      対向基板
４０                              液晶
５０、５０Ａ                      液晶装置
６０                              （液晶装置の）構成要素
Ｅ                                （液晶装置の）光路
Ｐ                                構成要素を透過する光の色度
Ｑ                                カラーフィルタ層を透過する光の合成光
の色度
Ｒ                                （液晶装置の）設計色度
Ｒ’                              （液晶装置を）白表示した際の色度
【図１】
0003823669.tif 000002
【図２】
0003823669.tif 000003
【図３】
0003823669.tif 000004
【図４】
0003823669.tif 000005
【図５】
0003823669.tif 000006
【図６】
0003823669.tif 000007
【図７】
0003823669.tif 000008
【図８】
0003823669.tif 000009
【図９】
0003823669.tif 000010
【図１０】
0003823669.tif 000011
【図１１】
0003823669.tif 000012
【図１２】
0003823669.tif 000013
【図１３】
0003823669.tif 000014
【図１４】
0003823669.tif 000015